(57)【要約】【課題】歯型を彫刻などにより造形する際にコンピュータによる照合評価と同等の客観的照合評価を行うことができる歯型照合用定規を提供する。【解決手段】透視可能な板２の平面３に、歯型を描く歯型周面印刷部８を備える。歯型周面印刷部８に、板２の表裏を貫通する深さ計測器Ｄの針Ｎが貫通する貫通部13を設ける。被彫刻部材Ｚを彫刻する際、被彫刻部材Ｚの造形を歯型周面印刷部８を透視し歯型に対応してその縦横を２次元的に照合できる。貫通部13に、針Ｎを貫通させて、歯型の頂部位置を照合したり、或いは板２と被彫刻部材Ｚとの距離、ひいては深さを計測することで、歯型に対応してその縦横のみならず、深さも３次元的に照合することができる。【選択図】図１
0003122094.tif 000002
【実用新案登録請求の範囲】
【請求項１】
透視可能な板の平面に、歯型を描く歯型印刷部を備えたことを特徴とする歯型照合用定規。
【請求項２】
前記歯型印刷部に前記板の表裏を貫通する深さ計測部材用の貫通部を設けたことを特徴とする請求項１記載の歯型照合用定規。
【請求項３】
前記歯型印刷部は、線状に形成されることを特徴とする請求項１又は２記載の歯型照合用定規。
【請求項４】
前記貫通部は深さ計測用軸が嵌合可能であって、該貫通部は前記歯型の頂部対応個所に設けられることを特徴とする請求項２記載の歯型照合用定規。
【請求項５】
前記歯型印刷部は前記歯型の輪郭、溝或いは隆線に対応して設けられることを特徴とする請求項１〜４のいずれか１項に記載の歯型照合用定規。
【請求項６】
前記歯型印刷部は、該歯型印刷部を囲む矩形枠印刷部の内側中央に設けられると共に、前記矩形枠印刷部の内側に桝目印刷部を備えたことを特徴とする請求項１〜５のいずれか１項に記載の歯型照合用定規。
【請求項７】
前記歯型印刷部は、前記歯型の平面を描く歯型平面印刷部と、前記歯型の周面を描く歯型周面印刷部を備えることを特徴とする請求項１〜６のいずれか１項に記載の歯型照合用定規。
【請求項８】
前記歯型周面印刷部は、歯型の周面四方に対応する第１〜４の歯型周面印刷部を備え、かつ該第１〜４の歯型周面印刷部と前記歯型平面印刷部とは、横又は縦に一列に配置されていることを特徴とする請求項７記載の歯型照合用定規。
【請求項９】
前記板は横長又は縦長であって、該板に前記歯型平面印刷部と前記歯型周面印刷部とを長さ方向に沿って並べて配置することを特徴とする請求項７又は８記載の歯型照合用定規。
【請求項１０】
前記板の前記長さ方向の一方に上顎側歯型用の前記歯型平面印刷部と前記歯型周面印刷部とを並べて配置し、前記板の前記長さ方向の他方に前記上顎側歯型用の前記歯型平面印刷部と前記歯型周面印刷部に対応する下顎側歯型用の前記歯型平面印刷部と前記歯型周面印刷部を並べて配置することを特徴とする請求項９記載の歯型照合用定規。
【考案の詳細な説明】
【技術分野】
【０００１】
本考案は、歯学教育などにおいて歯型を彫刻などにより造形する際に利用される歯型成形のための歯型照合用定規に関するものである。
【背景技術】
【０００２】
歯科医学教育などにおいて口腔解剖学基礎実習としての歯型彫刻は、歯学教育の基礎である。例えば、図５は上顎右側第一大臼歯の歯型モデルを図示したものであり、中央には咬合面（Occurusal）Ｏである平面部、該平面部の四方周面には舌側面（Lingual）L、頬側面（Buccul）B、遠心（Distal）D、近心（Mesial）Mなどの前後左右の４周面部があらわされている。そして平面においては、輪郭101や頂部102となる咬頭や凹状の溝103があらわされており、一方側面においては輪郭104、凸状の隆線105や凹状の溝106があらわされている。さらに歯型モデルの図示においては頂部に対応する平面部及び４側周部の箇所には黒点107がそれぞれあらわされている。
【０００３】
そして、歯型彫刻は、歯牙の形態再現を正確に行うために、歯型（歯牙）モデルの各部の寸法をノギスにより計測し、これを被彫刻部材である石膏棒などに写しとる。また、ノギスにより主要な箇所（最大豊隆部、咬頭頂、中心溝）を寸法計測し、四角柱をなした石膏棒やワックス棒等の被彫刻部材上に正確なデッサンを行う。さらに、平行光線によって生じる影の外形線に沿って、近遠心方向、頬舌方向、歯冠頂軸方向の３方向についてカットして投影法によって凸部の彫刻を行い、さらにまた、投影法カットの不可能な溝のような凹部については等高線を意識して、最も高い頂点から彫り始め、次第に低いところへと掘り進んでいく。そして、隆線、咬頭頂、溝、歯顎線などの細部を計測に頼らずに、バランスを考えながら細部の彫刻を直接行っていた。
【０００４】
このような歯型彫刻の途中には、彫刻の自己評価或いは教員による評価を繰り返し、反映をしながら形態修正を重ねて成型実習を行っており、そしてこのような歯型彫刻の評価内容の品質の均一化を目的として、３次元的評価システムのコンピュータ化が進められている（例えば、非特許文献１）。
【非特許文献１】木暮ミカ著  財団法人歯友会発行  口腔解剖学基礎実習（Practical Exercise Text Book Series）平成１５年４月発行
【考案の開示】
【考案が解決しようとする課題】
【０００５】
しかし、従来のコンピュータを用いる評価システムは、人的或いは金銭的なコスト面で多くの問題があるため歯科医学教育で汎用されるにいたっていない。
【０００６】
そこで、解決しようとする問題点は、専門的な知識やコンピュータを必要としなくとも、コンピュータによる照合評価と同等の客観的照合評価を目視により容易に行うことができるようにする点である。
【課題を解決するための手段】
【０００７】
請求項１の考案は、透視可能な板の平面に、歯型を描く歯型印刷部を備えたことを特徴とする歯型照合用定規である。
【０００８】
請求項２の考案は、前記歯型印刷部に前記板の表裏を貫通する深さ計測部材用の貫通部を設けたことを特徴とする請求項１記載の歯型照合用定規である。
【０００９】
請求項３の考案は、前記歯型印刷部は、線状に形成されることを特徴とする請求項１又は２記載の歯型照合用定規である。
【００１０】
請求項４の考案は、前記貫通部は深さ計測用軸が嵌合可能であって、該貫通部は前記歯型の頂部対応個所に設けられることを特徴とする請求項２記載の歯型照合用定規である。
【００１１】
請求項５の考案は、前記歯型印刷部は前記歯型の輪郭、溝或いは隆線に対応して設けられることを特徴とする請求項１〜４のいずれか１項に記載の歯型照合用定規である。
【００１２】
請求項６の考案は、前記歯型印刷部は、該歯型印刷部を囲む矩形枠印刷部の内側中央に設けられると共に、前記矩形枠印刷部の内側に桝目印刷部を備えたことを特徴とする請求項１〜５のいずれか１項に記載の歯型照合用定規である。
【００１３】
請求項７の考案は、前記歯型印刷部は、前記歯型の平面を描く歯型平面印刷部と、前記歯型の周面を描く歯型周面印刷部を備えることを特徴とする請求項１〜６のいずれか１項に記載の歯型照合用定規である。
【００１４】
請求項８の考案は、前記歯型周面印刷部は、歯型の周面四方に対応する第１〜４の歯型周面印刷部を備え、かつ該第１〜４の歯型周面印刷部と前記歯型平面印刷部とは、横又は縦に一列に配置されていることを特徴とする請求項７記載の歯型照合用定規である。
【００１５】
請求項９の考案は、前記板は横長又は縦長であって、該板に前記歯型平面印刷部と前記歯型周面印刷部とを長さ方向に沿って並べて配置することを特徴とする請求項７又は８記載の歯型照合用定規である。
【００１６】
請求項10の考案は、横長な前記板の一方に上顎側歯型の前記歯型平面印刷部と前記歯型周面印刷部とを横並びに配置し、前記板の他方に前記上顎側歯型に咬み合う下顎側歯型の前記歯型平面印刷部と前記歯型周面印刷部を横並びに配置することを特徴とする請求項９記載の歯型照合用定規である。
【考案の効果】
【００１７】
請求項１の考案によれば、被彫刻部材を造形する際、被彫刻部材に向けて歯型印刷部を透視し歯型に対応してその縦横を２次元的に照合して正確な造形を行うことができる。
【００１８】
請求項２の考案によれば、貫通部に深さ計測部材を貫通させて、歯型の頂部位置を照合したり、或いは板と被彫刻部材との距離、ひいては深さを計測することで、歯型に対応してその縦横のみならず、深さも３次元的に照合して正確な立体造形を行うことができる。
【００１９】
請求項３の考案によれば、線を照合することで歯型印刷部と被彫刻部材とを容易に照合することができる。
【００２０】
請求項４の考案によれば、軸が貫通孔に嵌合することで、軸の位置がずれるようなことはなく、さらに貫通部は歯型の頂部に対応して設けられるので、これにより被彫刻部材の頂部の高さを計測することとなり、被彫刻部材の外形を正確に３次元的に照合することができる。
【００２１】
請求項５の考案によれば、前記歯型の輪郭、溝或いは隆線に対応して設けられることにより、彫る角度が正反対に変わる変曲点位置を示すこととなり、造形する境界を正確に照合することができる。
【００２２】
請求項６の考案によれば、桝目印刷部を介して歯型印刷部に被彫刻部材を正確に照合することができ、造形の際のバランスなどを向上することができる。
【００２３】
請求項７の考案によれば、前記造形時に歯型の平面、周面を１枚の歯型照合用定規によって照合することができる。
【００２４】
請求項８の考案によれば、印刷部は横一列に配置されていることにより、前記造形時に歯型の平面、四方の周面を１枚の歯型照合用定規１によって歯型の全体を正確に照合することができる。
【００２５】
請求項９の考案によれば、１つの歯型照合用定規によって歯型の複数の箇所を照合することができる。
【００２６】
請求項10の考案によれば、１つの歯型照合用定規によって咬み合せも考慮して歯型の複数の箇所を照合することができる。
【考案を実施するための最良の形態】
【００２７】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２８】
図１〜図４は実施例１を示しており、実施例１は上顎右側第一大臼歯及び下顎右側第一大臼歯のものを示したものである。
【００２９】
歯型成形のための歯型照合用定規１は、透視可能な横長な板２の一方の平面３である表面の一側に上顎右側第一大臼歯の歯型形状を描いた歯型の各種の印刷部５，７，８，９，10を横一列に備え、平面３の他側に、上顎右側第一大臼歯に咬み合う下顎右側第一大臼歯の歯型形状を描いた歯型の各種の印刷部５Ｄ，７Ｄ，８Ｄ，９Ｄ，10Ｄを横一列に備えたものである。板２は透明アクリル板のような透明又は半透明のプラスチック製又はガラス製であり、その平面３は横長な矩形である。板２には縦横方向に、平面が正方形の桝目が桝目印刷部４によって形成されている。そして、歯型を描いた歯型印刷部５，７，８，９，10が、正方形の枠を描く枠印刷部６の内側中央に配置されている。枠印刷部６は縦横方向において桝目印刷部４がそれぞれ６個配置されて、枠印刷部６の中央には桝目印刷部４が十字状部４Ａとなって配置されている。
【００３０】
尚、歯型印刷部５，７，８，９，10，５Ｄ，７Ｄ，８Ｄ，９Ｄ，10Ｄは、歯型（歯牙）又はその立体モデルをカメラにより写し取ったものを画像処理して印刷によって形成したものであり、これら歯型印刷部５，７，８，９，10，５Ｄ，７Ｄ，８Ｄ，９Ｄ，10Ｄ及び枠印刷部６のそれぞれの線幅Ａより桝目印刷部４の線幅Ｂは小さく形成されている。
【００３１】
実施例１においては、従来技術で説明した図５における上顎右側第一大臼歯の場合について詳述する。上顎右側第一大臼歯を描いた歯型印刷部は、中央に歯型の平面図を示す歯型平面印刷部５、その両側に歯型の４方向の周面図がそれぞれ配置されている。４方向の周面図は、歯型印刷部５の他側端（右端）に第１の歯型周面印刷部７、さらにその内側に第２の歯型周面印刷部８を設けると共に、歯型印刷部５の一側（左側）に第３の歯型周面印刷部９、さらに一側端（左端）第４の歯型周面印刷部10を設ける。そして、第１の歯型周面印刷部７、第２の歯型周面印刷部８、第３の歯型周面印刷部９及び第４の歯型周面印刷部10は図５におけるそれぞれの側面部に対応して配置されている。すなわち図中「Ｏ」で示した歯型平面印刷部５は、咬合面（Occurusal）を示し、図中「Ｌ」で示した第１の歯型周面印刷部７は、舌側面（Lingual）を示し、図中「Ｂ」で示した第２の歯型周面印刷部８は、頬側面（Buccul）を示し、 図中「Ｄ」で示した第３の歯型周面印刷部９は、遠心（Distal）を示し、図中「Ｍ」で示した第４の歯型周面印刷部10は、近心（Mesial）を示している。
【００３２】
前記歯型平面印刷部５は、歯型形状の平面３の輪郭をあらわす線状をなした平面輪郭印刷部５Ａの内側に、歯型形状の平面３における凹部を示す線状をなした平面溝印刷部５Ｂと、歯型形状の平面３における凸部の隆線を示す線状をなした平面隆線印刷部５Ｃが設けられている。そして、実施例では平面輪郭印刷部５Ａの平面輪郭印刷部５Ａの線上或いはその内側に図５に示した歯型平面における黒点で示した歯型における突出した部位の頂部に対応して歯型頂部表示用点印刷部11を形成している。
【００３３】
前記第１の歯型周面印刷部７は、歯型形状の周面の輪郭をあらわす線状をなした第１の輪郭印刷部７Ａの内側に、凹部を示す線状をなした第１の溝印刷部７Ｂと、凸部の隆線を示す線状をなした第１の隆線印刷部７Ｃが設けられている。そして、第１の歯型周面印刷部７における第１の輪郭印刷部７Ａの線上に図５に示した舌側面Ｌにおける黒点で示した歯型における突出した部位の頂部に対応して歯型頂部表示用点印刷部12Ａを形成している。さらに、第１の輪郭印刷部７Ａの内側に図５に示した舌側面Ｌにおける黒点で示した突出した部位の頂部に対応して板２の表裏を貫通する第１の貫通部12を形成する。この貫通部12は深さ計測器（デプスメータ）Ｄの深さ計測部材である軸状の針Ｎが嵌合状態で貫通する程度の径の小さい孔であって、平面３に垂直に形成されている。尚、針Ｎの嵌合状態は、針Ｎが貫通部12にきつく挿入する場合から図１に示すように両者間にやや隙間を有して挿入する遊嵌状態のものも含む。
【００３４】
尚、同様に、第２の歯型周面印刷部８には、第２の輪郭印刷部８Ａ、第２の溝印刷部８Ｂ、第２の貫通部13及び歯型頂部表示用点印刷部13Ａを形成している。第３の歯型周面印刷部９には、第３の輪郭印刷部９Ａ、第３の溝印刷部９Ｂ、第３の隆線印刷部９Ｃ、第３の貫通部14及び歯型頂部表示用点印刷部14Ａを形成している。第４の歯型周面印刷部10には、第４の輪郭印刷部10Ａ、第４の溝印刷部10Ｂ、第４の隆線印刷部10Ｃ、第４の貫通部15及び歯型頂部表示用点印刷部15Ａを形成している。
【００３５】
次に前記構成についてその作用を説明する。歯型の彫刻は、石膏やワックスからなる四角柱をなした被彫刻部材Ｚの上部を彫刻するものであり、図３に示すように実習物である彫刻途中の被彫刻部材Ｚの平面に歯型照合用定規１における第１の歯型周面印刷部７を対向させて、歯型照合用定規１を介して被彫刻部材Ｚを透視する。そして、第１の歯型周面印刷部７の平面輪郭印刷部５Ａや平面溝印刷部５Ｂ、平面隆線印刷部５Ｃ、歯型頂部表示用点印刷部11と、被彫刻部材Ｚの平面に成形した輪郭、溝、頂を縦方向、横方向にわたって２次元的に照合する。この照合により被彫刻部材Ｚの平面に成形した輪郭、溝、頂が正確に彫刻されているか、否かを照合するすると共に、この照合により被彫刻部材Ｚにおける不正確な箇所を修正する。
【００３６】
さらに、側面においては図１に示すように、被彫刻部材Ｚにおける彫刻しない下部の面に歯型照合用定規１の裏面を当てて、前記平面３の場合と同様に被彫刻部材Ｚに第２の歯型周面印刷部８を対向した状態で板２を透視して被彫刻部材Ｚにおける輪郭、溝、隆線と、第２の歯型周面印刷部８における第２の輪郭印刷部８Ａ、第２の溝印刷部８Ｂ、歯型頂部表示用点印刷部13Ａとを縦方向及び横方向にわたって２次元的に照合する。
【００３７】
さらに図１に示すように被彫刻部材Ｚにおける彫刻しない下部の面に歯型照合用定規１の裏面を当てた状態で、第２の貫通部13に深さ計測器Ｄの針Ｎを貫通して彫刻途中の被彫刻部材Ｚの頬側面の頂部と板２の表面又は裏面との深さを計測することで、被彫刻部材Ｚの頬側面の頂部を３次元的に照合することができる。この計測に基づいて予め得ていた該箇所の深さと比較して彫刻された頂部の突出度合いを確認する。
【００３８】
尚、第１の歯型周面印刷部７、第３の歯型周面印刷部９、第４の歯型周面印刷部10においても同様に照合作業を行う。
【００３９】
尚、図４に示すように被彫刻部材Ｚの平面を十字線光源16に対向させると共に、光を被彫刻部材Ｚの平面に照射すると、その光が被彫刻部材Ｚの平面に映し出されて、被彫刻部材Ｚの平面の中心位置を十字形を照射し、中心位置の確認を行うことができる。
【００４０】
以上のように、前記実施例では請求項１に対応して、透視可能な板２の平面３に、歯型を描く歯型印刷部たる歯型平面印刷部５、第１の歯型周面印刷部７、第２の歯型周面印刷部８、第３の歯型周面印刷部９、第４の歯型周面印刷部10を備えたことにより、被彫刻部材Ｚを彫刻する際、被彫刻部材Ｚの造形を歯型平面印刷部５、第１の歯型周面印刷部７、第２の歯型周面印刷部８、第３の歯型周面印刷部９、第４の歯型周面印刷部10を透視し歯型に対応してその縦横を２次元的に照合することで、正確な造形を行うことができる。
【００４１】
また、前記実施例では請求項２に対応して、前記歯型印刷部たる第１の歯型周面印刷部７、第２の歯型周面印刷部８、第３の歯型周面印刷部９、第４の歯型周面印刷部10に、前記板２の表裏を貫通する深さ計測器Ｄの軸たる針Ｎが貫通する第１の貫通部12、第２の貫通部13、第３の貫通部14、第４の貫通部15を設けたことにより、これら第１の貫通部12、第２の貫通部13、第３の貫通部14、第４の貫通部15に、針Ｎを貫通させて、歯型の頂部位置を照合したり、或いは板２と被彫刻部材Ｚとの距離、ひいては深さを計測することで、歯型に対応してその縦横のみならず、深さも３次元的に照合することで、正確な立体造形を行うことができる。
【００４２】
さらに、前記実施例では請求項３に対応して、前記歯型印刷部たる歯型平面印刷部５、第１の歯型周面印刷部７、第２の歯型周面印刷部８、第３の歯型周面印刷部９、第４の歯型周面印刷部10は、細長な線状に形成されるので、被彫刻部材Ｚを造詣する際に、その輪郭や溝或いは隆線を線状の印刷部に一致させることにより、歯型平面印刷部５、第１の歯型周面印刷部７、第２の歯型周面印刷部８、第３の歯型周面印刷部９、第４の歯型周面印刷部10と被彫刻部材Ｚとを容易に照合することができる。
【００４３】
また、前記実施例では請求項４に対応して第１の貫通部12、第２の貫通部13、第３の貫通部14、第４の貫通部15に、深さ計測器Ｄの針Ｎが嵌合することで、針Ｎの位置がずれるようなことはなく、針Ｎの正確な位置決めを行うことができ、さらに第１の貫通部12、第２の貫通部13、第３の貫通部14、第４の貫通部15はそれぞれ前記歯型の頂部に対応して設けられるので、これにより被彫刻部材Ｚの頂部の高さを計測することとなり、被彫刻部材Ｚの外形を正確に３次元的に照合することができる。
【００４４】
さらに、前記実施例では請求項５に対応して、前記歯型平面印刷部５、第１の歯型周面印刷部７、第２の歯型周面印刷部８、第３の歯型周面印刷部９、第４の歯型周面印刷部10は、前記歯型の輪郭、溝或いは隆線に対応して設けられることにより、彫る角度が正反対に変わる変曲点位置を示すこととなり、彫る境界を正確に照合することができる。
【００４５】
また、前記実施例では請求項６に対応して、前記歯型平面印刷部５、第１の歯型周面印刷部７、第２の歯型周面印刷部８、第３の歯型周面印刷部９、第４の歯型周面印刷部10は、該歯型平面印刷部５、第１の歯型周面印刷部７、第２の歯型周面印刷部８、第３の歯型周面印刷部９、第４の歯型周面印刷部10を囲む矩形枠印刷部６の内側中央に設けられると共に、前記矩形枠印刷部６の内側に桝目印刷部４を備えたことにより、桝目印刷部４を介して歯型平面印刷部５、第１の歯型周面印刷部７、第２の歯型周面印刷部８、第３の歯型周面印刷部９、第４の歯型周面印刷部10に被彫刻部材Ｚを正確に照合することができ、造形の際のバランスなどを向上することができる。
【００４６】
さらに、前記実施例では請求項７に対応して、前記歯型照合用定規１には１つの歯型における歯型平面印刷部５、第１の歯型周面印刷部７、第２の歯型周面印刷部８、第３の歯型周面印刷部９、第４の歯型周面印刷部10を備えることにより、前記造形時に歯型の平面、周面を１枚の歯型照合用定規１によって照合することができる。
【００４７】
また、前記実施例では請求項８に対応して、前記歯型周面印刷部は、第１の歯型周面印刷部７、第２の歯型周面印刷部８、第３の歯型周面印刷部９、第４の歯型周面印刷部10を備え、かつこれら第１の歯型周面印刷部７、第２の歯型周面印刷部８、第３の歯型周面印刷部９、第４の歯型周面印刷部10及び前記歯型平面印刷部５は横一列に配置されていることにより、前記造形時に歯型の平面、四方の周面を１枚の歯型照合用定規１によって歯型の全体を正確に照合することができる。
【００４８】
さらに、前記実施例では請求項９に対応して、前記板２は横長であって、該板２に前記歯型平面印刷部５と前記歯型周面印刷部７,８，９，10とを横並びに配置することにより、被彫刻部材Ｚに対してその上方や周囲に歯型照合用定規１を配置することで、１つの歯型照合用定規１によって歯型の複数の箇所を照合することができる。
【００４９】
また、前記実施例では請求項１０に対応して、横長な前記板２の一方に上顎側歯型の前記歯型平面印刷部５と前記歯型周面印刷部７,８，９，10とを横並びに配置し、前記板２の他方に前記上顎側歯型に咬み合う下顎側歯型、すなわち前記歯型平面印刷部５と前記歯型周面印刷部７,８，９，10に対応する前記歯型平面印刷部５Ｄと前記歯型周面印刷部７Ｄ,８Ｄ，９Ｄ，10Ｄを横並びに配置することにより、例えば被彫刻部材Ｚにより上顎側歯型を造形する途中に、その歯型に咬み合う下顎側歯型の形状を視認することで、正しい咬み合せの造形を成形することができる。尚、実施例では板２を横長として横並びに配置したものを示したが、板２を縦長として縦並びに配置してもよい。
【産業上の利用可能性】
【００５０】
以上のように本考案にかかる歯型照合用定規は、第一大臼歯以外に第一小臼歯、犬歯など各種のものを揃えてそれぞれの歯型造形の用途に適用できる。
【図面の簡単な説明】
【００５１】
【図１】本考案の実施例１を示す使用状態を示す断面図である。
【図２】本考案の実施例１を示す平面図である。
【図３】本考案の実施例１を示す別の使用状態を示す斜視図である。
【図４】本考案の実施例１を示す十字線光源を用いた平面図である。
【図５】本考案の実施例１を示す歯型モデルの平面部及び四側面部を示す平面図である。
【符号の説明】
【００５２】
２  板
３  平面
５，５Ｄ  歯型平面印刷部
６，６Ｄ  矩形枠印刷部
７，７Ｄ  第１の歯型周面印刷部
８，８Ｄ  第２の歯型周面印刷部
９，９Ｄ  第３の歯型周面印刷部
10，10Ｄ  第４の歯型周面印刷部
５Ａ，７Ａ，８Ａ，９Ａ，10Ａ  輪郭印刷部
５Ｂ，７Ｂ，８Ｂ，９Ｂ，10B  溝印刷部
５Ｃ，７Ｃ，９Ｃ，10Ｃ  隆線印刷部
12  第１の貫通部
13  第２の貫通部
14  第３の貫通部
15  第４の貫通部
Ｄ  計測器
Ｎ  針（深さ計測部材）
【図１】
0003122094.tif 000003
【図２】
0003122094.tif 000004
【図３】
0003122094.tif 000005
【図４】
0003122094.tif 000006
【図５】
0003122094.tif 000007